(57)【要約】【課題】防湿剤が適切に塗布されているかどうかを検査する基板検査装置を提供する。【解決手段】紫外線が照射されることにより蛍光を発する蛍光剤を含む防湿剤の塗布されたプリント基板を検査する基板検査装置１であって、プリント基板に紫外線を斜めに照射する紫外線照射部１１と、プリント基板の画像を撮影する撮影部１３と、防湿剤の塗布されるべき領域を示す基準情報が記憶される基準情報記憶部１５と、撮影部１３が撮影した、紫外線照射部１１からの紫外線が照射されたプリント基板の画像から、蛍光領域の画像を取得する蛍光領域画像取得部１４と、取得された蛍光領域の画像の輝度を所定のしきい値と比較した結果と基準情報とを用いて、防湿剤の塗布されるべき領域に防湿剤が塗布されているかどうか判断する判断部１６と、その判断結果を出力する判断結果出力部１７と、を備える。【選択図】図１
2010281580.tif 000002
【特許請求の範囲】
【請求項１】
紫外線が照射されることにより蛍光を発する蛍光剤を含む防湿剤の塗布されたプリント基板を検査する基板検査装置であって、
前記プリント基板に紫外線を少なくとも斜めに照射する紫外線照射部と、
前記プリント基板の画像を撮影する撮影部と、
防湿剤の塗布されるべき領域を示す情報である基準情報が記憶される基準情報記憶部と、
前記撮影部が撮影した、前記紫外線照射部からの紫外線が照射されたプリント基板の画像における、蛍光領域を少なくとも含む領域の画像の輝度を所定のしきい値と比較した結果と、前記基準情報とを用いて、防湿剤の塗布されるべき領域に防湿剤が塗布されているかどうか判断する判断部と、
前記判断部による判断結果を出力する判断結果出力部と、を備えた基板検査装置。
【請求項２】
前記判断部は、前記撮影部が撮影した、前記紫外線照射部からの紫外線が照射されたプリント基板の画像における、蛍光領域を少なくとも含む領域の画像の輝度を所定のしきい値と比較することによって、当該画像を２値化した２値画像を取得し、当該２値画像と、前記基準情報とを用いて、防湿剤の塗布されるべき領域に防湿剤が塗布されているかどうか判断する、請求項１記載の基板検査装置。
【請求項３】
前記撮影部が撮影した、前記紫外線照射部からの紫外線が照射されたプリント基板の画像から、蛍光領域の画像を取得する蛍光領域画像取得部と、
前記プリント基板に白色光を照射する白色光照射部と、
前記撮影部が撮影した、前記白色光照射部からの白色光が照射されたプリント基板の画像と、前記蛍光領域画像取得部が取得した蛍光領域の画像とを合成した画像である合成画像を取得する画像合成部と、
前記合成画像を出力する画像出力部と、をさらに備えた、請求項１または請求項２記載の基板検査装置。
【請求項４】
前記画像合成部は、前記判断部によって防湿剤の塗布されるべき領域に防湿剤が塗布されていないと判断された領域を、そうでない領域と区別可能に表示する合成画像を生成する、請求項３記載の基板検査装置。
【請求項５】
前記画像合成部は、前記判断部によって防湿剤の塗布されるべき領域に防湿剤が塗布されていないと判断された領域に所定の図形を表示する合成画像を生成する、請求項４記載の基板検査装置。
【請求項６】
紫外線が照射されることにより蛍光を発する蛍光剤を含む防湿剤の塗布されたプリント基板を検査するための画像を生成する基板検査装置であって、
前記プリント基板に紫外線を少なくとも斜めに照射する紫外線照射部と、
前記プリント基板に白色光を照射する白色光照射部と、
前記プリント基板の画像を撮影する撮影部と、
前記撮影部が撮影した、前記紫外線照射部からの紫外線が照射されたプリント基板の画像から、蛍光領域の画像を取得する蛍光領域画像取得部と、
前記撮影部が撮影した、前記白色光照射部からの白色光が照射されたプリント基板の画像と、前記蛍光領域画像取得部が取得した蛍光領域の画像とを合成した画像である合成画像を取得する画像合成部と、
前記合成画像を出力する画像出力部と、を備えた基板検査装置。
【請求項７】
前記紫外線照射部は、前記撮影部の光軸周りに円環状に配置された複数の光源を有する、請求項１から請求項６のいずれか記載の基板検査装置。
【請求項８】
前記紫外線照射部が前記プリント基板に紫外線を照射する仰角は、３０度以上６０度以下である、請求項１から請求項７のいずれか記載の基板検査装置。
【請求項９】
請求項１から請求項８のいずれか記載の基板検査装置の有する紫外線照射部を備えた照射装置。
【請求項１０】
紫外線が照射されることにより蛍光を発する蛍光剤を含む防湿剤の塗布されたプリント基板を検査する基板検査方法であって、
前記プリント基板に紫外線を少なくとも斜めに照射する紫外線照射ステップと、
前記紫外線照射ステップで紫外線が照射されたプリント基板の画像を撮影する撮影ステップと、
前記撮影ステップで撮影した、前記紫外線照射ステップで紫外線が照射されたプリント基板の画像における、蛍光領域を少なくとも含む領域の画像の輝度を所定のしきい値と比較した結果と、基準情報記憶部で記憶される、防湿剤の塗布されるべき領域を示す情報である基準情報とを用いて、防湿剤の塗布されるべき領域に防湿剤が塗布されているかどうか判断する判断ステップと、
前記判断ステップでの判断結果を出力する判断結果出力ステップと、を備えた基板検査方法。
【請求項１１】
紫外線が照射されることにより蛍光を発する蛍光剤を含む防湿剤の塗布されたプリント基板を検査するための画像を生成する基板検査方法であって、
前記プリント基板に紫外線を少なくとも斜めに照射する紫外線照射ステップと、
前記紫外線照射ステップで紫外線が照射されたプリント基板の画像を撮影する第１の撮影ステップと、
前記プリント基板に白色光を照射する白色光照射ステップと、
前記白色光照射ステップで白色光が照射されたプリント基板の画像を撮影する第２の撮影ステップと、
前記第１の撮影ステップで撮影した、前記紫外線照射ステップで紫外線が照射されたプリント基板の画像から、蛍光領域の画像を取得する蛍光領域画像取得ステップと、
前記第２の撮影ステップで撮影した、前記白色光照射ステップで白色光が照射されたプリント基板の画像と、前記蛍光領域画像取得ステップで取得した蛍光領域の画像とを合成した画像である合成画像を取得する画像合成ステップと、
前記合成画像を出力する画像出力ステップと、を備えた基板検査方法。
【発明の詳細な説明】
【技術分野】
【０００１】
本発明は、プリント基板に関する検査等の処理を行う基板検査装置等に関する。
【背景技術】
【０００２】
従来、屋外用の電気機器や通信機器に用いられる回路基板は、結露や高湿によるプリント基板の誘電率の変動を抑えることなどを目的として、プリント基板に回路素子等の電子部品を装着した後に、基板表面に絶縁性の防湿剤を塗布することが行われていた。
なお、関連する技術として、プリント基板等を検査する装置が開発されている（例えば、特許文献１参照）。
【先行技術文献】
【特許文献】
【０００３】
【特許文献１】特開２００７−１７８３１２号公報
【発明の概要】
【発明が解決しようとする課題】
【０００４】
しかしながら、プリント基板に塗布された防湿剤が、適切な箇所に塗布されているかどうか確認する必要があった。例えば、防湿剤を刷毛などによって手塗りした場合には、未塗布領域の発生する可能性がある。また、機械で自動的に塗布したとしても、刷毛とプリント基板との位置ずれ等に起因する細かい塗布もれが発生する可能性がある。したがって、そのような塗布もれが発生していないかどうかを確認する必要があった。
【０００５】
本発明は、上記課題を解決するためになされたものであり、その一の目的は、プリント基板上の防湿剤の塗布もれを自動的に検出する基板検査装置等を提供することである。また、他の目的は、プリント基板上の防湿剤の塗布もれを検出するために用いられる画像を生成する基板検査装置等を提供することである。また、他の目的は、その基板検査装置等で用いられる光の照射装置を提供することである。
【課題を解決するための手段】
【０００６】
上記目的を達成するため、本発明による基板検査装置は、紫外線が照射されることにより蛍光を発する蛍光剤を含む防湿剤の塗布されたプリント基板を検査する基板検査装置であって、前記プリント基板に紫外線を少なくとも斜めに照射する紫外線照射部と、前記プリント基板の画像を撮影する撮影部と、防湿剤の塗布されるべき領域を示す情報である基準情報が記憶される基準情報記憶部と、前記撮影部が撮影した、前記紫外線照射部からの紫外線が照射されたプリント基板の画像における、蛍光領域を少なくとも含む領域の画像の輝度を所定のしきい値と比較した結果と、前記基準情報とを用いて、防湿剤の塗布されるべき領域に防湿剤が塗布されているかどうか判断する判断部と、前記判断部による判断結果を出力する判断結果出力部と、を備えたものである。
【０００７】
このような構成により、プリント基板において、防湿剤の塗布もれがあるかどうかを自動的に判断することができる。また、プリント基板に対して斜めに紫外線を照射することによって、プリント基板の面に対して直角に近い面に塗布された防湿剤についても、適切に紫外線を照射することができ、その防湿剤の存在を適切に把握することができ、その結果、適切な判断を行うことができるようになる。
【０００８】
また、本発明による基板検査装置では、前記判断部は、前記撮影部が撮影した、前記紫外線照射部からの紫外線が照射されたプリント基板の画像における、蛍光領域を少なくとも含む領域の画像の輝度を所定のしきい値と比較することによって、当該画像を２値化した２値画像を取得し、当該２値画像と、前記基準情報とを用いて、防湿剤の塗布されるべき領域に防湿剤が塗布されているかどうか判断してもよい。
【０００９】
このような構成により、判断部は、蛍光領域を含む領域の２値画像を用いて、防湿剤が塗布されている範囲を容易に特定することができるようになり、その２値画像を用いて、防湿剤の塗布されるべき領域に防湿剤が塗布されているかどうかを判断することができる。
【００１０】
また、本発明による基板検査装置では、前記撮影部が撮影した、前記紫外線照射部からの紫外線が照射されたプリント基板の画像から、蛍光領域の画像を取得する蛍光領域画像取得部と、前記プリント基板に白色光を照射する白色光照射部と、前記撮影部が撮影した、前記白色光照射部からの白色光が照射されたプリント基板の画像と、前記蛍光領域画像取得部が取得した蛍光領域の画像とを合成した画像である合成画像を取得する画像合成部と、前記合成画像を出力する画像出力部と、をさらに備えてもよい。
【００１１】
このような構成により、防湿剤の塗布の状況を示す画像である蛍光領域の画像と、白色光で撮影されたプリント基板の画像とが合成された合成画像を見ることによって、防湿剤が適切に塗布されていない領域を目視によって容易に特定することができるようになる。
【００１２】
また、本発明による基板検査装置では、画像合成部は、判断部によって防湿剤の塗布されるべき領域に防湿剤が塗布されていないと判断された領域を、そうでない領域と区別可能に表示する合成画像を生成してもよい。
このような構成により、合成画像において、防湿剤が塗布されているべき領域でありながら塗布されていないと判断された領域を容易に特定することができるようになる。
【００１３】
また、本発明による基板検査装置では、画像合成部は、判断部によって防湿剤の塗布されるべき領域に防湿剤が塗布されていないと判断された領域に所定の図形を表示する合成画像を生成してもよい。
このような構成により、その図形によって、防湿剤が塗布されているべき領域でありながら塗布されていないと判断された領域を容易に特定することができるようになる。
【００１４】
また、本発明による基板検査装置は、紫外線が照射されることにより蛍光を発する蛍光剤を含む防湿剤の塗布されたプリント基板を検査するための画像を生成する基板検査装置であって、プリント基板に紫外線を少なくとも斜めに照射する紫外線照射部と、プリント基板に白色光を照射する白色光照射部と、プリント基板の画像を撮影する撮影部と、撮影部が撮影した、紫外線照射部からの紫外線が照射されたプリント基板の画像から、蛍光領域の画像を取得する蛍光領域画像取得部と、撮影部が撮影した、白色光照射部からの白色光が照射されたプリント基板の画像と、蛍光領域画像取得部が取得した蛍光領域の画像とを合成した画像である合成画像を取得する画像合成部と、合成画像を出力する画像出力部と、を備えたものである。
【００１５】
このような構成により、防湿剤の塗布の状況を示す画像である蛍光領域の画像と、白色光で撮影されたプリント基板の画像とが合成された合成画像を見ることによって、防湿剤が適切に塗布されていない領域を目視によって容易に特定することができるようになる。
【００１６】
また、本発明による基板検査装置では、紫外線照射部は、撮影部の光軸周りに円環状に配置された複数の光源を有してもよい。
このような構成により、あらゆる方向からプリント基板に対して紫外線を照射することができるようになり、防湿剤の存在を適切に把握することができ、その結果、適切な判断を行うことができるようになる。
【００１７】
また、本発明による基板検査装置では、紫外線照射部がプリント基板に紫外線を照射する仰角は、３０度以上６０度以下であってもよい。
このような構成により、プリント基板の面に対して直角に近い面に塗布された防湿剤について、適切に紫外線を照射することができるようになると共に、プリント基板と平行な面に塗布された防湿剤についても、適切に紫外線を照射することができるようになる。
【００１８】
また、本発明による照射装置は、前記基板検査装置の有する紫外線照射部を備えたものである。
このような構成により、前述の基板検査装置において、適切に紫外線を照射するための照射装置を提供することができるようになる。
【発明の効果】
【００１９】
本発明による基板検査装置等によれば、例えば、判断部を備えた基板検査装置等によって、プリント基板上の防湿剤の塗布もれを自動的に検出することができる。また、例えば、画像を合成する基板検査装置等によって、プリント基板上の防湿剤の塗布もれを検出するために用いられる画像を生成することができる。また、照明装置によって、基板検査装置等で用いられる紫外線をプリント基板に対して適切に照射することができる。
【図面の簡単な説明】
【００２０】
【図１】本発明の実施の形態１による基板検査装置の構成を示すブロック図
【図２】同実施の形態による基板検査装置で用いられる光源を支持する支持部材の外観を示す模式図
【図３】同実施の形態における紫外線の照射について説明するための図
【図４】同実施の形態における光源の並びの一例を示す図
【図５】同実施の形態による基板検査装置の動作を示すフローチャート
【図６】同実施の形態における撮影画像等の一例を示す図
【図７】同実施の形態における判断結果及び合成画像の表示の一例を示す図
【図８】同実施の形態における撮影画像等の一例を示す図
【図９】同実施の形態における判断結果及び合成画像の表示の一例を示す図
【発明を実施するための形態】
【００２１】
以下、本発明による基板検査装置について、実施の形態を用いて説明する。なお、以下の実施の形態において、同じ符号を付した構成要素及びステップは同一または相当するものであり、再度の説明を省略することがある。
【００２２】
（実施の形態１）
本発明の実施の形態１による基板検査装置について、図面を参照しながら説明する。本実施の形態による基板検査装置は、紫外線が照射されることによって蛍光を発する蛍光剤を含む防湿剤の塗布されたプリント基板を検査するものである。
【００２３】
図１は、本実施の形態による基板検査装置１の構成を示すブロック図である。本実施の形態による基板検査装置１は、紫外線照射部１１と、白色光照射部１２と、撮影部１３と、蛍光領域画像取得部１４と、基準情報記憶部１５と、判断部１６と、判断結果出力部１７と、画像合成部１８と、画像出力部１９とを備える。
【００２４】
紫外線照射部１１は、プリント基板に対して、紫外線を斜めに照射する。プリント基板は、回路素子等の電子部品が固定され、配線されるための基板であり、回路基板と呼ばれることもある。また、紫外線が照射されるプリント基板には、通常、回路素子等の電子部品が装着されているものとする。また、そのプリント基板には、前述のように、絶縁性の防湿剤が塗布されているものとする。その防湿剤は、紫外線が照射されることによって蛍光を発する蛍光剤を含むものである。その防湿剤は、例えば、ポリオレフィン系樹脂を主成分として、常温または加熱によって硬化する一液性のコーティング剤であり、蛍光増白剤（蛍光剤）を微量添加されたものであってもよい。その蛍光増白剤によって、波長３００ｎｍ〜４００ｎｍの紫外線が照射されると、防湿剤は青色に発色する。なお、プリント基板で用いられる防湿剤は、これ以外のものであってもよいことは言うまでもない。また、その防湿剤で用いられる蛍光剤も、これ以外のものであってもよいことは言うまでもない。また、「斜め」とは、プリント基板に対して法線方向ではなく、プリント基板に対して平行な方向でもない方向のことである。プリント基板に対して垂直に近い角度を有する面に塗布された防湿剤に対しても適切に紫外線を照射することができるようにするためである。その紫外線照射部１１がプリント基板に紫外線を照射する角度（紫外線の照射方向と、プリント基板とのなす角度である。本実施の形態では、この角度を「仰角」と呼ぶことにする。例えば、図３参照。）は、３０度以上、６０度以下の範囲であることが好適である。さらに、４０度以上、５０度以下の範囲であることが好適である。すなわち、その仰角は、４５度付近であることが好ましい。プリント基板に対して垂直に近い面に塗布された防湿剤に対しても、プリント基板の面上に塗布された防湿剤に対しても、適切に紫外線を照射することができるようにするためである。紫外線照射部１１は、紫外線を出射する単数または複数の光源を有する。その光源は、例えば、紫外線発光ダイオード（紫外線ＬＥＤ）であってもよく、蛍光管や白熱電球を用いたブラックライトであってもよい。それらの光源は、例えば、ピーク波長が３５０ｎｍ〜３８０ｎｍ付近ものであってもよい。また、紫外線照射部１１は、後述する撮影部１３の光軸の周りに円環状に配置された複数の光源を有するものであってもよい。本実施の形態では、主にこの場合について説明する。なお、その複数の光源は、均等に配置されていることが好適である。撮影部１３の光軸周りに紫外線の光源が円環状に均等に配置されていることによって、撮影部１３の撮影対象（プリント基板及びその上の防湿剤等）に対して、３６０度のすべての方向から紫外線を照射することができるようになる。
【００２５】
白色光照射部１２は、プリント基板に白色光を照射する。この白色光の照射は、目視に近いプリント基板の画像を得るために行われるため、その照射方向は、プリント基板に垂直な方向であってもよく、あるいは、そうでなくてもよい。後者の場合には、プリント基板に固定された回路素子等の電子部品による影を生じないように、種々の方向から照射することが好適である。白色光照射部１２は、白色光を出射する単数または複数の光源を有する。その光源は、例えば、白色ＬＥＤであってもよく、蛍光管や白熱電球であってもよい。また、白色光照射部１２も、紫外線照射部１１と同様に、後述する撮影部１３の光軸の周りに円環状に配置された複数の光源を有するものであってもよい。本実施の形態では、主にこの場合について説明する。なお、その複数の光源は、均等に配置されていることが好適である。
【００２６】
撮影部１３は、プリント基板の画像を撮影する。この撮影は、通常、プリント基板に垂直な方向からの撮影となる。すなわち、撮影部１３の光軸は、プリント基板にほぼ垂直であることが好適である。撮影部１３は、プリント基板の全体を撮影してもよく、あるいは、プリント基板が大きい場合などには、そのプリント基板を複数の領域に分けて撮影してもよい。後者の場合には、例えば、特開２００７−１７０８３８号公報等で開示されるプリント基板の移動手段などを用いて、プリント基板を移動させながら複数の領域の撮影を行ってもよい。撮影部１３は、例えば、ＣＣＤイメージセンサやＣＭＯＳイメージセンサ等の撮像デバイスを用いてプリント基板のデジタル画像を撮影するものである。撮影部１３が撮影したプリント基板の画像データは、図示しない記録媒体において、一時的に記憶されてもよい。なお、後述するように、撮影部１３は、紫外線照射部１１が紫外線を照射している際に、プリント基板を撮影すると共に、白色光照射部１２が白色光を照射している際に、プリント基板を撮影するものとする。
【００２７】
蛍光領域画像取得部１４は、撮影部１３が撮影した、紫外線照射部１１からの紫外線が照射されたプリント基板の画像から、蛍光領域の画像を取得する。蛍光領域画像取得部１４は、紫外線照射部１１が紫外線を照射している際に撮影された画像から、蛍光に対応する色の領域を輪郭抽出することなどによって抜き出すことによって、蛍光領域の画像を取得することができる。この処理は、画像処理としてすでに公知であり、詳細な説明を省略する。蛍光に対応する色は、例えば、青色である。蛍光領域画像取得部１４が取得する蛍光領域の画像は、撮影された画像における蛍光領域の位置と、その蛍光領域のみの画像とを知ることができるものであることが好適である。蛍光領域の画像は、例えば、撮影された画像において、蛍光領域以外の領域をあらかじめ決められた輝度や色のデータに置き換えたデータであってもよく、撮影された画像において、蛍光領域以外の領域をアルファチャンネルなどを用いてマスクしたものであってもよい。蛍光領域画像取得部１４が取得した蛍光領域の画像は、図示しない記録媒体において一時的に記憶されてもよい。
【００２８】
基準情報記憶部１５では、基準情報が記憶される。基準情報は、防湿剤の塗布されるべき領域を示す情報である。この基準情報は、例えば、画像の情報であってもよく、その他の情報であってもよい。基準情報が画像の情報である場合には、その基準情報は、例えば、撮影された画像に対応する画像において、防湿剤が塗布されるべき領域に特定の色や図形を有する画像であってもよく、防湿剤を理想的に塗布したプリント基板を撮影した画像であってもよい。また、基準情報が画像の情報でない場合には、その基準情報は、例えば、防湿剤が塗布されるべき領域の領域を座標値等で示す情報であってもよい。基準情報記憶部１５で記憶される基準情報は、単数であってもよく、複数であってもよい。例えば、撮影部１３がプリント基板を複数の領域に分けて撮影する場合には、その撮影された複数の画像に対応するだけの基準情報が基準情報記憶部１５で記憶されていてもよい。その場合には、そのプリント基板における領域を特定する情報（例えば、領域の識別情報や、領域の座標値等）と、基準情報とが対応付けられて記憶されることが好適である。
【００２９】
基準情報記憶部１５に基準情報が記憶される過程は問わない。例えば、記録媒体を介して基準情報が基準情報記憶部１５で記憶されるようになってもよく、通信回線等を介して送信された基準情報が基準情報記憶部１５で記憶されるようになってもよく、あるいは、入力デバイスを介して入力された基準情報が基準情報記憶部１５で記憶されるようになってもよい。基準情報記憶部１５での記憶は、一時的な記憶でもよく、あるいは、長期的な記憶でもよい。基準情報記憶部１５は、所定の記録媒体（例えば、半導体メモリや磁気ディスク、光ディスクなど）によって実現されうる。
【００３０】
判断部１６は、蛍光領域画像取得部１４が取得した蛍光領域の画像の輝度を所定のしきい値と比較した結果と、基準情報とを用いて、防湿剤の塗布されるべき領域に防湿剤が塗布されているかどうか判断する。蛍光領域の画像において、防湿剤の塗布されている領域に対応する輝度は高くなるため、適切なしきい値を設定し、そのしきい値以上の輝度の領域を特定することによって、防湿剤の塗布された領域を特定することができる。その領域の特定は、例えば、蛍光領域の画像を２値化することによって行ってもよい。すなわち、判断部１６は、蛍光領域画像取得部１４が取得した蛍光領域の画像の輝度を所定のしきい値と比較することによって、蛍光領域の画像を２値化した２値画像を取得してもよい。そして、判断部１６は、そのようにして特定した、防湿剤の塗布された領域と、基準情報とを用いることによって、防湿剤の塗布されるべき領域に防湿剤が塗布されているかどうか判断する。この判断は、例えば、基準情報によって示される防湿剤の塗布されるべき領域が、蛍光領域の画像（あるいは、２値画像）を用いて特定された、防湿剤の塗布された領域に含まれるかどうか判断することによって行われる。前者の領域が後者の領域に含まれる場合には、防湿剤の塗布されるべき領域に適切に防湿剤が塗布されたことになる。一方、前者の領域が後者の領域に含まれない場合には、防湿剤の塗布もれが存在することになり、適切な防湿剤の塗布がなされていないことになる。なお、この判断部１６による判断で用いられるしきい値は、防湿剤の塗布に関する判断部１６による適切な判断が行われるように適宜、設定されることが好適である。このしきい値は、図示しない記録媒体において記憶されており、判断部１６は、そのしきい値を用いて判断処理を行ってもよい。また、そのしきい値は、ユーザからの変更指示に応じて、図示しない変更部によって変更されるようになっていてもよい。
【００３１】
判断結果出力部１７は、判断部１６による判断結果を出力する。この判断結果は、例えば、「ＯＫ」「ＮＧ」や、「適切」「不適切」等であってもよい。また、複数の領域に対して判断が行われる場合には、判断結果出力部１７は、領域を特定する情報と、その領域に関する判断結果とを出力してもよい。ここで、この出力は、例えば、表示デバイス（例えば、ＣＲＴや液晶ディスプレイなど）への表示でもよく、所定の機器への通信回線を介した送信でもよく、プリンタによる印刷でもよく、スピーカによる音声出力でもよく、記録媒体への蓄積でもよく、他の構成要素への引き渡しでもよい。本実施の形態では、後述する合成画像と共に、表示デバイスに判断結果が表示される場合について説明する。なお、判断結果出力部１７は、出力を行うデバイス（例えば、表示デバイスやプリンタなど）を含んでもよく、あるいは含まなくてもよい。また、判断結果出力部１７は、ハードウェアによって実現されてもよく、あるいは、それらのデバイスを駆動するドライバ等のソフトウェアによって実現されてもよい。
【００３２】
画像合成部１８は、撮影部１３が撮影した、白色光照射部１２からの白色光が照射されたプリント基板の画像と、蛍光領域画像取得部１４が取得した蛍光領域の画像とを合成した画像である合成画像を取得する。画像の合成方法はすでに公知であり、その詳細な説明を省略する。なお、白色光を用いて撮影されたプリント基板の画像上で、蛍光領域（すなわち、防湿剤の塗布されている領域）を特定することができるように、両画像が合成されることが好適である。
【００３３】
また、画像合成部１８は、判断部１６によって防湿剤の塗布されるべき領域に防湿剤が塗布されていないと判断された領域を、そうでない領域と区別可能に表示する合成画像を生成してもよい。判断部１６は、蛍光領域の画像と、基準情報とを用いることによって、防湿剤の塗布されるべき領域に防湿剤が塗布されているかどうかを知ることができると共に、防湿剤の塗布されるべき領域であるにも関わらず、防湿剤が塗布されていない領域を特定することができる。したがって、画像合成部１８は、その領域をユーザ等が容易に特定することができるように合成画像を加工してもよい。防湿剤の塗布されるべき領域に防湿剤が塗布されていないと判断された領域を、そうでない領域と区別する方法は、例えば、色の違いであってもよく、表示方法（点滅する、揺れる等）の違いであってもよく、その領域を特定する図形（ここでは、「特定図形」と呼ぶことにする）の有無であってもよい。特定図形は、例えば、防湿剤の塗布されるべき領域に防湿剤が塗布されていないと判断された領域を囲む図形（例えば、円状の図形や、多角形状の図形等）であってもよく、その領域を示す矢印であってもよく、その他の図形であってもよい。画像合成部１８は、判断部１６によって防湿剤の塗布されるべき領域に防湿剤が塗布されていないと判断された領域に所定の図形を表示する合成画像を生成する場合には、例えば、それらの図形の記憶されている記録媒体からその図形を読み出し、その図形の大きさを適宜、調整した後に、その図形を合成図形に追加するようにしてもよい。
【００３４】
画像出力部１９は、画像合成部１８が合成した合成画像を出力する。また、複数の領域に対して画像の合成が行われる場合には、画像出力部１９は、領域を特定する情報と、その領域に対応する合成画像とを出力してもよい。ここで、この出力は、例えば、表示デバイス（例えば、ＣＲＴや液晶ディスプレイなど）への表示でもよく、所定の機器への通信回線を介した送信でもよく、プリンタによる印刷でもよく、記録媒体への蓄積でもよく、他の構成要素への引き渡しでもよい。本実施の形態では、前述の判断結果と共に、表示デバイスに合成画像が表示される場合について説明する。なお、画像出力部１９は、出力を行うデバイス（例えば、表示デバイスやプリンタなど）を含んでもよく、あるいは含まなくてもよい。また、画像出力部１９は、ハードウェアによって実現されてもよく、あるいは、それらのデバイスを駆動するドライバ等のソフトウェアによって実現されてもよい。
【００３５】
図２は、紫外線や白色光の光源を支持する支持部材２２と、撮影部１３との外観の一例を示す模式図である。支持部材２２は、傘形状の部材であって、その内側に紫外線や白色光の光源が円環状に配置されている。また、撮影部１３は、その支持部材２２の中心を介して、プリント基板２１の画像を撮影する。
【００３６】
図３は、図２で示される支持部材２２等の断面の概略を示す図である。図３において、支持部材２２の内側には、紫外線ＬＥＤ３１と、白色ＬＥＤ３２とが配置されている。前述のように、白色ＬＥＤ３２の照射方向は限定されないため、白色ＬＥＤ３２は、支持部材２２のプリント基板２１と平行な環状領域と、支持部材２２のプリント基板２１と略４５度の傾斜を有する環状領域との両方に配置されている。一方、紫外線ＬＥＤ３１は、プリント基板２１に対して斜めに紫外線を照射することが求められるため、支持部材２２のプリント基板２１と略４５度の傾斜を有する環状領域にのみ配置されている。その結果、図３で示されるように、略４５度の仰角で紫外線を照射することができ、プリント基板２１上に固定された素子３４の側面に塗布された防湿剤３３に対しても適切に紫外線を照射することができるようになる。
【００３７】
図４は、支持部材２２のプリント基板２１と略４５度の傾斜を有する環状領域における紫外線ＬＥＤ３１と、白色ＬＥＤ３２との配置の一例を示す図である。図４（ａ）で示されるように、内側に紫外線ＬＥＤ３１が配置され、外側に白色ＬＥＤ３２が配置されてもよく、図４（ｂ）で示されるように、内側においても外側においても、紫外線ＬＥＤ３１と、白色ＬＥＤ３２とが交互に配置されてもよい。また、その他の配置がなされてもよいことは言うまでもない。ただし、前述のように、紫外線ＬＥＤ３１も、白色ＬＥＤ３２も、均等に配置されることが好適である。
【００３８】
また、プリント基板２１と傾斜を有する支持部材２２の環状領域について、その傾斜の角度が４５度である場合について説明したが、その角度も限定されないことは言うまでもない。ただし、前述のように、紫外線ＬＥＤ３１の照射する紫外線の仰角が適切な範囲となる角度であることが好適である。
【００３９】
また、図２〜図４の説明において、紫外線照射部１１は、複数の紫外線ＬＥＤ３１のみから構成されると考えてもよく、あるいは、複数の紫外線ＬＥＤ３１と、支持部材２２の一部とから構成されると考えてもよい。また、白色光照射部１２は、複数の白色ＬＥＤ３２のみから構成されると考えてもよく、あるいは、複数の白色ＬＥＤ３２と、支持部材２２の一部とから構成されると考えてもよい。
【００４０】
また、図２〜図４では、支持部材２２が、プリント基板２１と平行な領域と、プリント基板２１と略４５度の傾斜を有する領域とを有し、それらの領域が連続している場合について説明したが、それらの領域はつながっていなくてもよい。
【００４１】
また、図２〜図４では、支持部材２２が、プリント基板２１と平行な領域と、プリント基板２１と略４５度の傾斜を有する領域とを含む場合について説明したが、その支持部材２２は、半球状（ドーム状）であってもよい。半球状の支持部材２２については、例えば、特許第２７７８６８２号公報の図１や図３に記載されている。支持部材２２が半球状である場合であっても、紫外線の光源をボトム領域（仰角の小さい領域）やミドル領域（仰角が４５度付近の領域）に配置することによって、プリント基板２１に対して斜めに紫外線を照射することができるようになる。
【００４２】
次に、本実施の形態による基板検査装置１の動作について、図５のフローチャートを用いて説明する。なお、図５では、プリント基板の全体、あるいは、プリント基板の一部の領域の撮影を行う場合について説明する。例えば、プリント基板の複数の領域の撮影を行う場合には、この図５のフローチャートの処理を、その領域数だけ繰り返して実行すればよい。
【００４３】
（ステップＳ１０１）紫外線照射部１１は、プリント基板に紫外線を照射する。
【００４４】
（ステップＳ１０２）撮影部１３は、紫外線の照射されたプリント基板を撮影する。そして、撮影した画像を図示しない記録媒体で一時的に記憶する。なお、この撮影が終了すると、紫外線照射部１１は、プリント基板に対する紫外線の照射を終了する。
【００４５】
（ステップＳ１０３）蛍光領域画像取得部１４は、撮影部１３の撮影した画像から蛍光領域の画像を取得する。そして、取得した蛍光領域の画像を図示しない記録媒体で一時的に記憶する。
【００４６】
（ステップＳ１０４）判断部１６は、蛍光領域画像取得部１４が取得した蛍光領域の画像を２値化した２値画像を取得する。そして、その２値画像を図示しない記録媒体で一時的に記憶する。
【００４７】
（ステップＳ１０５）判断部１６は、基準情報記憶部１５から基準情報を読み出す。プリント基板の複数の領域について判断の処理を行う場合には、ステップＳ１０２で撮影された領域に対応する基準情報を読み出すものとする。
【００４８】
（ステップＳ１０６）判断部１６は、２値画像と基準情報とを用いて、防湿剤の塗布されるべき領域に防湿剤が塗布されているかどうか判断する。そして、その判断結果を図示しない記録媒体で一時的に記憶する。
【００４９】
（ステップＳ１０７）判断結果出力部１７は、その判断結果をディスプレイに表示する。
【００５０】
（ステップＳ１０８）白色光照射部１２は、プリント基板に白色光を照射する。
【００５１】
（ステップＳ１０９）撮影部１３は、白色光の照射されたプリント基板を撮影する。そして、撮影した画像を図示しない記録媒体で一時的に記憶する。なお、この撮影が終了すると、白色光照射部１２は、プリント基板に対する白色光の照射を終了する。
【００５２】
（ステップＳ１１０）画像合成部１８は、撮影部１３が白色光で撮影したプリント基板の画像と、蛍光領域画像取得部１４が取得した蛍光領域の画像とを合成する。そして、合成画像を図示しない記録媒体で一時的に記憶する。
【００５３】
（ステップＳ１１１）画像合成部１８は、判断部１６による判断の結果が「防湿剤の塗布が適切」であるかどうか判断する。そして、「防湿剤の塗布が適切」である場合には、ステップＳ１１３に進み、そうでない場合には、ステップＳ１１２に進む。
【００５４】
（ステップＳ１１２）画像合成部１８は、防湿剤の塗布が適切に行われなかった領域に特定図形が表示されるように、合成画像に特定図形の画像情報を追加する。そして、その追加後の合成画像を図示しない記録媒体で一時的に記憶する。
【００５５】
（ステップＳ１１３）画像出力部１９は、合成画像をディスプレイに表示する。この場合に、判断結果と、合成画像とが並べて表示されるようにしてもよい。そして、一連の処理は終了となる。
【００５６】
なお、図５のフローチャートにおいて、紫外線の照射の開始・終了の制御や、白色光の照射の開始・終了の制御は、基板検査装置１のいずれかの構成要素（例えば、蛍光領域画像取得部１４や画像合成部１８等）や、図示しない制御部等によって行われてもよい。
【００５７】
次に、本実施の形態による基板検査装置１の動作について、具体例を用いて説明する。この具体例では、プリント基板のある領域を撮影し、防湿剤の塗布が適切に行われているかどうかを判断する場合について説明する。他の領域についても、同様な処理を繰り返して実行することによって、防湿剤の塗布に関する判断を行うことができる。
【００５８】
まず、防湿剤の塗布が適切に行われた場合の具体例について説明する。図６は、撮影画像等の一例を示す図である。本来は、撮影画像はカラーであるが、図６では、それを白黒で示している。この具体例では、プリント基板２１における図６（ａ）の領域について、防湿剤が適切に塗布されているかどうかが判断される場合について説明する。まず、蛍光領域画像取得部１４が紫外線照射部１１に対して、紫外線を照射する旨の指示を出したとする。すると、紫外線照射部１１は、その指示に応じて、紫外線ＬＥＤ３１を点灯し、紫外線をプリント基板２１に照射する（ステップＳ１０１）。次に、蛍光領域画像取得部１４は、プリント基板２１の撮影を行う旨の指示を撮影部１３に渡す。すると、撮影部１３は、紫外線の照射されているプリント基板２１を撮影し、その画像を図示しない記録媒体で一時的に記憶する（ステップＳ１０２）。図６（ｂ）は、その撮影画像の一例を示す図である。紫外線の照射によって蛍光を発している領域、すなわち、防湿剤の塗布されている領域のみが高い輝度となり、それ以外の領域は低い輝度となっている。その後、蛍光領域画像取得部１４は、紫外線照射部１１に対して、紫外線の照射を終了する旨の指示を出す。すると、紫外線照射部１１は、その指示に応じて、紫外線ＬＥＤ３１を消灯する。その結果、プリント基板２１への紫外線の照射が終了する。
【００５９】
次に、蛍光領域画像取得部１４は、撮影部１３が撮影した画像を図示しない記録媒体から読み出し、紫外線の照射によって蛍光を発している青色の領域である蛍光領域の画像を取得し、その蛍光領域の画像を図示しない記録媒体で一時的に記憶する（ステップＳ１０３）。図６（ｃ）は、その蛍光領域の画像の一例を示す図である。図６（ｃ）では、蛍光領域以外の領域が最も高い輝度（白色）になるようにしている。
【００６０】
その後、判断部１６は、図６（ｃ）で示される蛍光領域の画像を図示しない記録媒体から読み出し、所定のしきい値を用いて、その蛍光領域を２値化し、その２値画像を図示しない記録媒体で一時的に記憶する（ステップＳ１０４）。この２値化の処理によって、蛍光領域において、防湿剤の塗布されている領域が白色となり、それ以外の領域が黒色となる。図６（ｄ）は、その２値画像の一例を示す図である。図６（ｄ）では、図６（ｃ）とは異なり、蛍光領域以外を黒色で表示している。なお、この蛍光領域以外の領域の色については説明の便宜上、白にしたり黒にしたりしているものであって、それ以外の色であってもよいことは言うまでもない。また、アルファチャンネル等を用いている場合には、蛍光領域以外の領域の色や輝度はどのようなものであってもよい（例えば、図６（ｂ）のままであってもよい）。
【００６１】
ここで、基準情報記憶部１５では、図６（ａ）の領域に対応する基準情報として、図６（ｅ）で示される画像が記憶されているものとする。図６（ｅ）において、白の領域が、防湿剤の塗布されているべき領域を示している。判断部１６は、基準情報記憶部１５から、その図６（ｅ）で示される画像である基準情報を読み出す（ステップＳ１０５）。そして、図６（ｄ）の２値画像も図示しない記録媒体から読み出して、図６（ｅ）の基準情報で示される、防湿剤の塗布されているべき領域が、図６（ｄ）で示される防湿剤が塗布されている領域に含まれるかどうか判断する（ステップＳ１０６）。この場合には、図６（ｅ）の基準情報で示される、防湿剤の塗布されているべき領域が、図６（ｄ）で示される防湿剤が塗布されている領域に含まれるため、判断部１６は、防湿剤が適切に塗布されていると判断し、その旨を図示しない記録媒体で一時的に記憶すると共に、判断結果出力部１７に渡す。すると、判断結果出力部１７は、判断結果の情報、すなわち、文字列「判断結果：防湿剤の塗布は適切です」をディスプレイに表示する（ステップＳ１０７）。
【００６２】
次に、画像合成部１８は、白色光照射部１２に対して、白色光を照射する旨の指示を出す。すると、白色光照射部１２は、その指示に応じて、白色ＬＥＤ３２を点灯し、白色光をプリント基板２１に照射する（ステップＳ１０８）。その後、画像合成部１８は、プリント基板２１の撮影を行う旨の指示を撮影部１３に渡す。すると、撮影部１３は、白色光の照射されているプリント基板２１を撮影し、その画像を図示しない記録媒体で一時的に記憶する（ステップＳ１０９）。図６（ａ）は、その撮影画像の一例を示す図である。白色光を用いて撮影しているため、撮影対象の領域が鮮明に撮影されることになる。その後、画像合成部１８は、白色光照射部１２に対して、白色光の照射を終了する旨の指示を出す。すると、白色光照射部１２は、その指示に応じて、白色ＬＥＤ３２を消灯する。その結果、プリント基板２１への白色光の照射が終了する。
【００６３】
次に、画像合成部１８は、白色光で撮影したプリント基板２１の画像（図６（ａ））と、蛍光領域画像取得部１４によって取得された蛍光領域の画像（図６（ｃ））とを図示しない記録媒体からそれぞれ読み出し、それらを合成し、図示しない記録媒体で一時的に記憶する（ステップＳ１１０）。なお、その際に、図６（ｃ）の画像で用いられるのは、白色でない領域の画像のみである。図６（ｆ）は、その合成画像の一例を示す図である。図６（ｆ）において、網掛けのなされている領域は、カラーの画像では蛍光色（青色）の領域、すなわち、蛍光領域である。その後、画像合成部１８は、図示しない記録媒体で一時的に記憶されている判断結果を読み出し、塗布が適切に行われたと判断する（ステップＳ１１１）。その結果、合成画像への特定図形の追加は行われず、図６（ｆ）の画像がディスプレイに表示される（ステップＳ１１３）。その結果、ディスプレイに図７で示される表示が行われることになる。図７の表示において、判断結果と、合成画像とが表示されている。したがって、この表示を見たユーザは、防湿剤の塗布が適切に行われたことを知ることができると共に、そのことを合成画像によって確認することができる。
【００６４】
次に、防湿剤の塗布が適切に行われなかった場合の具体例について簡単に説明する。図８の各図は、図６の各図にそれぞれ対応するものである。まず、紫外線が照射された状況において（ステップＳ１０１）、プリント基板２１の画像が撮影される（ステップＳ１０２）。その画像は、図８（ｂ）で示されるものである。そして、その画像から蛍光領域の画像が取得される（ステップＳ１０３）。その画像は、図８（ｃ）で示されるものである。その後、蛍光領域の画像が２値に変換される（ステップＳ１０４）。その２値画像は、図８（ｄ）で示されるものである。そして、判断部１６によって、基準情報（図８（ｅ））と、２値画像とが比較され、防湿剤の塗布が適切に行われたかどうか判断される（ステップＳ１０５，Ｓ１０６）。この場合には、図８（ｅ）の基準情報で示される、防湿剤の塗布されているべき領域に、図８（ｄ）で示される防湿剤が塗布されている領域に含まれていない部分が存在するため、判断部１６は、防湿剤が適切に塗布されていないと判断し、その旨を判断結果出力部１７に渡すと共に、その旨と、防湿剤が適切に塗布されていない領域を示す情報とを図示しない記録媒体で一時的に記憶する。そして、判断結果出力部１７は、判断結果の情報、すなわち、文字列「判断結果：防湿剤の塗布は不適切です」をディスプレイに表示する（ステップＳ１０７）。なお、防湿剤が適切に塗布されていない領域を示す情報は、例えば、防湿剤の塗布されているべき領域のうち、図８（ｄ）で示される防湿剤が塗布されている領域に含まれていない部分を示す情報である。また、防湿剤が適切に塗布されていない領域を示す情報は、その部分の座標を示す情報であってもよく、その部分を示す画像情報（例えば、図８（ｄ）や図８（ｅ）のように、その部分を白色で示す画像であってもよい）であってもよい。
【００６５】
また、白色光が照射された状況において（ステップＳ１０８）、プリント基板２１の画像が撮影される（ステップＳ１０９）。その画像は、図８（ａ）で示されるものである。そして、その白色光での撮影画像と、蛍光領域の画像とが合成される（ステップＳ１１０）。その合成画像は、図８（ｆ）で示されるものである。また、画像合成部１８は、図示しない記録媒体で一時的に記憶されている判断結果を読み出し、塗布が適切に行われなかったと判断し（ステップＳ１１１）、同じ記録媒体で記憶されている、防湿剤が適切に塗布されていない領域を示す情報を読み出す。そして、その情報で示される領域を囲む円状の特定図形を生成し、その特定図形を合成画像に追加し（ステップＳ１１２）、その合成画像を画像出力部１９に渡す（ステップＳ１１３）。その結果、ディスプレイに図９で示される表示が行われることになる。図９の表示において、判断結果と、特定図形を含む合成画像とが表示されている。したがって、この表示を見たユーザは、防湿剤の塗布が適切に行われなかったことを知ることができると共に、そのことを合成画像によって確認することができる。特に、特定図形が表示されていることによって、不適切である領域、すなわち、塗布もれの領域を容易に特定することができることになる。
【００６６】
以上のように、本実施の形態による基板検査装置１によれば、蛍光剤を有する防湿剤の塗布されたプリント基板を撮影し、その防湿剤の塗布された領域が適切であるかどうかを自動的に判断することによって、人手による判断を行わなくてもよいか、あるいは、人手による判断の処理を軽減することができる。また、蛍光領域の画像と、白色光で撮影した画像とを合成して出力することによって、防湿剤の塗布の状況を容易に判断することができるようになる。したがって、例えば、判断部１６によって防湿剤の塗布が不適切であると判断された場合に、その判断が妥当であるかどうかを、合成画像を用いて容易に判断できることになる。また、その合成画像において、防湿剤の塗布されるべき領域に防湿剤が塗布されていないと判断された領域を、そうでない領域と区別可能に表示することによって、その防湿剤の塗布されるべき領域に防湿剤が塗布されていないと判断された領域を容易に特定できるようになる。
【００６７】
なお、紫外線照射部１１における光源の配置形態は、本実施の形態の説明に限定されるものではなく、その他の配置形態であってもよいことは言うまでもない。
【００６８】
また、本実施の形態では、画像合成部１８が、判断部１６によって、防湿剤の塗布されるべき領域に防湿剤が塗布されていないと判断された領域を、そうでない領域と区別可能に表示する合成画像を生成する場合について説明したが、そうでなくてもよい。すなわち、合成画像は、蛍光領域の画像と、白色光で撮影したプリント基板の画像とを単に合成したものであってもよい。
【００６９】
また、本実施の形態では、判断部１６において、２値画像を生成し、その２値画像を用いて判断の処理を行う場合について主に説明したが、前述のように、そうでなくてもよい。
【００７０】
また、本実施の形態では、防湿剤の塗布に関する判断と、画像の合成との両方の処理を行う場合について説明したが、そうでなくてもよい。基板検査装置１は、いずれか一方の処理を行うものであってもよい。
【００７１】
そこで、まず、判断の処理のみを行う基板検査装置１について説明する。その基板検査装置１は、白色光照射部１２、画像合成部１８、画像出力部１９を備えていなくてもよい。また、その場合には、蛍光領域画像取得部１４による蛍光領域の画像の取得を行ってもよく、あるいは、行わなくてもよい。その蛍光領域の画像の取得を行わない場合には、判断部１６は、撮影部１３が撮影した、紫外線照射部１１からの紫外線が照射されたプリント基板の画像における、蛍光領域を少なくとも含む領域の画像の輝度を所定のしきい値と比較した結果と、基準情報とを用いて、防湿剤の塗布されるべき領域に防湿剤が塗布されているかどうか判断するものであってもよい。「撮影部１３が撮影した、紫外線照射部１１からの紫外線が照射されたプリント基板の画像における、蛍光領域を少なくとも含む領域の画像」は、撮影部１３が撮影した、紫外線照射部１１からの紫外線が照射されたプリント基板の画像の全体であってもよく、その画像の一部の領域であって、蛍光領域を含む領域の画像であってもよく、あるいは、蛍光領域そのものの画像であってもよい。そのいずれであっても、蛍光領域以外は、しきい値と比較した際に、輝度がしきい値以下であると判断されるため、判断の結果は同じとなる。
【００７２】
次に、合成の処理のみを行う基板検査装置１について説明する。その基板検査装置１は、基準情報記憶部１５、判断部１６、判断結果出力部１７を備えていなくてもよい。すなわち、その基板検査装置１は、紫外線照射部１１と、白色光照射部１２と、撮影部１３と、蛍光領域画像取得部１４と、画像合成部１８と、画像出力部１９とを備えたものである。また、この基板検査装置１は、その装置自体が基板の検査を行うものではなく、プリント基板を検査するための画像を生成するものである。したがって、基板検査装置１は、前述のように、基板の検査を行う装置であってもよく、基板の検査を行うのではなく、その検査のために用いられる装置であってもよい。
【００７３】
また、本実施の形態では、白色光で撮影された画像と、紫外線で撮影された画像とを合成する場合について説明したが、白色光と紫外線との両方の照射されたプリント基板を撮影することによって、合成後の画像と同様の画像を取得してもよい。すなわち、そのような合成後の画像を得る場合には、基板検査装置は、紫外線が照射されることにより蛍光を発する蛍光剤を含む防湿剤の塗布されたプリント基板を検査するための画像を生成する基板検査装置であって、前記プリント基板に紫外線を少なくとも斜めに照射する紫外線照射部と、前記プリント基板に白色光を照射する白色光照射部と、前記プリント基板の画像を撮影する撮影部と、前記撮影部が撮影した、前記紫外線照射部からの紫外線と前記白色光照射部からの白色光とが照射されたプリント基板の画像を出力する画像出力部と、を少なくとも備えたものであってもよい。このようにして、合成の処理を行うことなく、合成画像と同様の画像を取得することができる。また、この基板検査装置は、さらに基準情報記憶部と判断部と判断結果出力部とを備え、その判断部は、撮影部が撮影した、紫外線が照射されたプリント基板の画像における蛍光領域を少なくとも含む領域の画像の輝度を所定のしきい値と比較した結果と、基準情報とを用いて、防湿剤の塗布されるべき領域に防湿剤が塗布されているかどうか判断してもよい。
【００７４】
また、本実施の形態による基板検査装置１の有する紫外線照射部１１、すなわち、プリント基板に紫外線を斜めに照射する紫外線照射部１１を少なくとも備えた照射装置のみが、基板検査装置１とは別に実施されてもよい。その照射装置は、例えば、紫外線の光源と、支持部材２２とから構成されるものであってもよい。また、その照射装置は、白色光照射部１２をも備えていてもよい。その場合には、照射装置は、基板検査装置１における紫外線や白色光を照射する部分のユニットになりうる。
【００７５】
また、本実施の形態では、紫外線照射部１１がプリント基板２１に紫外線を斜めに照射する場合について説明したが、紫外線照射部１１は、プリント基板２１に紫外線を少なくとも斜めに照射するものであればよい。すなわち、紫外線照射部１１の有する紫外線の光源の少なくとも一部がプリント基板２１に紫外線を斜めに照射するものであれば、紫外線照射部１１の有する紫外線の光源の一部に、プリント基板２１に紫外線を斜めに照射しないものが存在してもよい。例えば、図２，図３において、紫外線の光源である紫外線ＬＥＤ３１が、支持部材２２のプリント基板２１と平行な環状領域に存在してもよい。
【００７６】
また、本実施の形態では、基準情報が防湿剤の塗布されるべき領域を示す情報である場合について説明したが、そうでなくてもよい。例えば、基準情報は、基準情報が防湿剤の塗布されるべき領域を示す情報であってもよく、防湿剤が塗布されてはならない領域（すなわち、防湿剤の塗布の禁止領域である）を示す情報であってもよく、防湿剤の塗布されるべき領域を示す情報と防湿剤が塗布されてはならない領域を示す情報との両方の情報であってもよい。例えば、コネクタピンの側面等には、防湿剤が塗布されてはならないため、そのような箇所が基準情報によって、防湿剤が塗布されてはならない領域に指定されてもよい。基準情報に、防湿剤が塗布されてはならない領域を示す情報が含まれる場合には、判断部１６は、撮影部１３が撮影した、紫外線が照射されたプリント基板の画像における、蛍光領域を少なくとも含む領域の画像の輝度を所定のしきい値と比較した結果と、基準情報とを用いて、防湿剤が塗布されてはならない領域に防湿剤が塗布されているかどうか判断してもよい。この判断は、本実施の形態で説明したようにして特定した防湿剤の塗布された領域と、基準情報とを用いることによって、防湿剤が塗布されてはならない領域に防湿剤が塗布されているかどうか判断することによって行うことができる。具体的には、基準情報によって示される防湿剤が塗布されてはならない領域と、蛍光領域の画像（あるいは、２値画像）を用いて特定された、防湿剤の塗布された領域とに一部でも一致する領域が存在するかどうか判断することによって行われる。一部でも一致する領域が存在する場合には、防湿剤が塗布されてはならない領域に、防湿剤が塗布されたことになる。一方、一致する領域が全く存在しない場合には、防湿剤が塗布されてはならない領域に、防湿剤が塗布されていないことになる。なお、その一部でも一致する領域が存在する場合には、その領域が、防湿剤が塗布されてはならない領域に、防湿剤が塗布されている箇所となる。したがって、画像合成部１８は、その領域をそうでない領域と区別可能に表示する合成画像を生成してもよい。また、画像合成部１８は、その領域に所定の図形を表示する合成画像を生成してもよい。この区別可能な表示や、所定の図形は、防湿剤の塗布されるべき領域に防湿剤が塗布されていないと判断された領域に関する区別可能な表示や、所定の図形と別のものであることが好適である。両者を見分けることができるようにするためである。なお、基準情報記憶部１５では、防湿剤の塗布されるべき領域を示す基準情報と、防湿剤が塗布されてはならない領域を示す基準情報との両方が記憶されていてもよく、あるいは、一方のみが記憶されていてもよい。前者の場合には、両方の判断、すなわち、防湿剤の塗布されるべき領域に防湿剤が塗布されているかどうかの判断と、防湿剤が塗布されてはならない領域に防湿剤が塗布されているかどうかの判断とが行われてもよい。後者の場合、すなわち、一方の基準情報のみが記憶されている場合には、その基準情報に応じた判断のみが行われることになる。
【００７７】
また、従来、基板を検査する種々の基板検査装置が開発されている。そのような基板検査装置に、本実施の形態による基板検査装置１が組み込まれてもよい。
【００７８】
また、上記実施の形態では、基板検査装置１がスタンドアロンである場合について説明したが、基板検査装置１は、スタンドアロンの装置であってもよく、サーバ・クライアントシステムにおけるサーバ装置であってもよい。後者の場合には、出力部は、通信回線を介して情報を出力してもよい。
【００７９】
また、上記実施の形態において、各処理または各機能は、単一の装置または単一のシステムによって集中処理されることによって実現されてもよく、あるいは、複数の装置または複数のシステムによって分散処理されることによって実現されてもよい。
また、本発明は、以上の実施の形態に限定されることなく、種々の変更が可能であり、それらも本発明の範囲内に包含されるものであることは言うまでもない。
【産業上の利用可能性】
【００８０】
以上より、本発明による基板検査装置等によれば、例えば、プリント基板における防湿剤の塗布もれを自動的に検出できるという効果が得られ、プリント基板の検査装置等として有用である。
【符号の説明】
【００８１】
１  基板検査装置
１１  紫外線照射部
１２  白色光照射部
１３  撮影部
１４  蛍光領域画像取得部
１５  基準情報記憶部
１６  判断部
１７  判断結果出力部
１８  画像合成部
１９  画像出力部
２１  プリント基板
２２  支持部材
３１  紫外線ＬＥＤ
３２  白色ＬＥＤ
【図１】
2010281580.tif 000003
【図２】
2010281580.tif 000004
【図３】
2010281580.tif 000005
【図４】
2010281580.tif 000006
【図５】
2010281580.tif 000007
【図６】
2010281580.tif 000008
【図７】
2010281580.tif 000009
【図８】
2010281580.tif 000010
【図９】
2010281580.tif 000011